(57)【特許請求の範囲】
【請求項１】
横方向へ離間対向する一対の円盤とそれら円盤の間に延びる巻取筒部とを備えた巻取リールを回転可能に支持するリールホルダにおいて、
前記リールホルダが、前記巻取リールの円盤の下部を囲むパネルと、前記パネルの上端部から縦方向上方へ延出しつつ、前記巻取リールの円盤の下部を除く残余の部位を囲むフレームと、前記パネルの上端部の前後方向両側に取り付けられ、前記巻取リールの円盤の外周を支持しつつ該巻取リールの回転にともなって回転する回転部材とを備え、
前記パネルが、前後方向へ延びる底面パネルと、前記底面パネルの横方向両側縁から縦方向上方へ延出し、横方向へ互いに離間対向して前記巻取リールの両側部の外側に位置する第１および第２側面パネルとから形成され、前記回転部材が、前記第１側面パネルの上端部の前後方向両側から横方向内方へ延出しつつ、前後方向へ所定寸法離間対向する第１および第２回転部材と、前記第２側面パネルの上端部の前後方向両側から横方向内方へ延出しつつ、前後方向へ所定寸法離間対向する第３および第４回転部材とから形成され、
前記フレームが、前記第１側面パネルの上端部の前後方向両側から縦方向上方へ凸となるように延出しつつ、該第１側面パネルの上方において交差する第１側面フレームと、前記第２側面パネルの上端部の前後方向両側から縦方向上方へ凸となるように延出しつつ、該第２側面パネルの上方において交差する第２側面フレームと、前記第１および第２側面フレームの上端部につながって横方向へ延びる把持可能な把持フレームとから形成され、
前記リールホルダでは、横方向へ長い矩形に成形されたガイドパネルが前記底面パネルに対して略垂直に垂下するように、該底面パネルの前端から縦方向下方へ延出し、前記巻取リールが前記パネルと前記フレームとの内側に着脱可能に装着されることを特徴とするリールホルダ。
【請求項２】
前記第１〜第４回転部材が、前記第１および第２側面パネルから横方向内方へ延びる軸と、前記軸に回転可能に装着されたローラーとから形成されている請求項１記載のリールホルダ。
【請求項３】
前記第１および第２回転部材の前後方法の離間方向が、前記巻取リールの円盤の直径の６０〜９０％の長さに調節され、前記第３および第４回転部材の前後方向の離間寸法が、前記巻取リールの円盤の直径の６０〜９０％の長さに調節され、前記リールホルダでは、前記パネルと前記フレームとの内側に前記巻取リールを装着したときに、前記巻取リールの円盤の全面積の１５〜３５％の範囲が前記第１および第２回転部材の下方に位置するとともに前記第３および第４回転部材の下方に位置する請求項１または請求項２に記載のリールホルダ。
【請求項４】
前記リールホルダでは、前記パネルと前記フレームとの内側に前記巻取リールを装着したときに、該巻取リールの横方向へ延びる軸挿入孔が前記第１側面フレームの内側と前記第２側面フレームの内側とに露出する請求項１ないし請求項３いずれかに記載のリールホルダ。
【発明の詳細な説明】
【技術分野】
【０００１】
本発明は、巻取リールを回転可能に支持するリールホルダに関する。
【背景技術】
【０００２】
三方を囲むコ字状の枠本体と、その枠本体の内側対向角部に取り付けられた第１および第２ガイドロールと、第１および第２ガイドロールの反対側に設置され、それらガイドロールに近接する方向と離間する方向とへスライドさせることができるスライド枠と、そのスライド枠の内側対向端部に取り付けられた第３および第４ガイドロールとから形成され、巻取リールを回転可能に支持する巻取リール用ガイドロールがある（特許文献１参照）。
【０００３】
この巻取リール用ガイドロールは、枠本体とスライド枠とが四方を囲む四角形のフレームを形成し、そのフレームの内側に巻取リールを着脱可能に装着する。巻取リールは、一対の円盤とそれら円盤の間に延びる巻取筒部とから形成されている。巻取リールをフレームの内側に装着すると、第１〜第４ガイドロールによって巻取リールの円盤の外周が支持され、巻取リールの回転にともなってそれらガイドロールが回転する。この巻取リール用ガイドロールは、枠本体に対してスライド枠をスライドさせることで、巻取リールの円盤間の寸法に合わせることができ、円盤間の寸法が異なる各種の巻取リールを装着することができる。
【特許文献１】実開平１−１５２９５７号公報
【発明の開示】
【発明が解決しようとする課題】
【０００４】
前記特許文献１に開示の巻取リール用ガイドロールは、巻取リールの軸孔に着脱可能に挿入する棒状の脱落防止材を取り付けることで、巻取リールに巻き取られた線条物を引き出す際に、巻取リールのフレームからの脱落が防止されるが、線条物を巻取リールから勢いよく引き出すと、脱落防止材が巻取リールの軸挿入孔から外れ、巻取リールがフレームを乗り越えてフレームから脱落してしまう場合がある。また、この巻取リール用ガイドロールは、脱落防止材が巻取リールの軸挿入孔に挿入されるから、巻取リールの軸挿入孔にリールを回転させるためのハンドルを装着することができず、ハンドルを介してリールを正逆両方向へ容易かつ自由に回転させることができない。さらに、この巻取リール用ガイドロールには把持することができる取っ手が取り付けられておらず、その持ち運びができない。
【０００５】
本発明の目的は、巻取リールの脱落を防ぎつつリールを回転させることができ、リールに巻き取られた線条物を容易に引き出すことができるリールホルダを提供することにある。本発明の他の目的は、ハンドルを介して巻取リールを正逆両方向へ容易かつ自由に回転させることができるリールホルダを提供することにある。
【課題を解決するための手段】
【０００６】
前記課題を解決するための本発明の前提は、横方向へ離間対向する一対の円盤とそれら円盤の間に延びる巻取筒部とを備えた巻取リールを回転可能に支持するリールホルダである。
【０００７】
前記前提における本発明の特徴としては、リールホルダが、巻取リールの円盤の下部を囲むパネルと、パネルの上端部から縦方向上方へ延出しつつ、巻取リールの円盤の下部を除く残余の部位を囲むフレームと、パネルの上端部の前後方向両側に取り付けられ、巻取リールの円盤の外周を支持しつつ巻取リールの回転にともなって回転する回転部材とを備え、パネルが、前後方向へ延びる底面パネルと、底面パネルの横方向両側縁から縦方向上方へ延出し、横方向へ互いに離間対向して巻取リールの両側部の外側に位置する第１および第２側面パネルとから形成され、回転部材が、第１側面パネルの上端部の前後方向両側から横方向内方へ延出しつつ、前後方向へ所定寸法離間対向する第１および第２回転部材と、第２側面パネルの上端部の前後方向両側から横方向内方へ延出しつつ、前後方向へ所定寸法離間対向する第３および第４回転部材とから形成され、フレームが、第１側面パネルの上端部の前後方向両側から縦方向上方へ凸となるように延出しつつ、第１側面パネルの上方において交差する第１側面フレームと、第２側面パネルの上端部の前後方向両側から縦方向上方へ凸となるように延出しつつ、第２側面パネルの上方において交差する第２側面フレームと、第１および第２側面フレームの上端部につながって横方向へ延びる把持可能な把持フレームとから形成され、リールホルダでは、横方向へ長い矩形に成形されたガイドパネルが底面パネルに対して略垂直に垂下するように、底面パネルの前端から縦方向下方へ延出し、巻取リールがパネルとフレームとの内側に着脱可能に装着されることにある。
【０００８】
本発明の一例としては、第１〜第４回転部材が、第１および第２側面パネルから横方向内方へ延びる軸と、軸に回転可能に装着されたローラーとから形成されている。
【０００９】
本発明の他の一例としては、第１および第２回転部材の前後方法の離間方向が巻取リールの円盤の直径の６０〜９０％の長さに調節され、第３および第４回転部材の前後方向の離間寸法が巻取リールの円盤の直径の６０〜９０％の長さに調節され、リールホルダでは、パネルとフレームとの内側に巻取リールを装着したときに、巻取リールの円盤の全面積の１５〜３５％の範囲が第１および第２回転部材の下方に位置するとともに第３および第４回転部材の下方に位置する。
【００１０】
本発明の他の一例として、リールホルダでは、パネルとフレームとの内側に巻取リールを装着したときに、巻取リールの横方向へ延びる軸挿入孔が第１側面フレームの内側と第２側面フレームの内側とに露出する。
【発明の効果】
【００１１】
本発明にかかるリールホルダによれば、パネルが巻取リールの円盤の下部を囲み、パネルによって巻取リールが支持されるとともに、フレームが巻取リールの円盤の下部を除く残余の部位を囲み、フレームによって巻取リールが支持されるから、巻取リールに巻き取られた線条物を巻取リールから勢いよく引き出したとしても、ホルダから巻取リールが不用意に脱落することはない。このリールホルダは、回転部材が巻取リールの円盤の外周を支持しつつ巻取リールの回転にともなって回転するから、線条物を巻取リールに容易かつ円滑に巻き取らせることができ、線条物を巻取リールから容易かつ円滑に引き出すことができる。また、巻取リールの軸挿入孔にそのリールを回転させる専用のハンドルを装着することができ、リールホルダに装着された巻取リールをハンドルを介して正逆両方向へ容易かつ自由に回転させることができる。
【００１２】
リールホルダは、パネルが底面パネルと第１および第２側面パネルとから形成され、回転部材が第１および第２回転部材と第３および第４回転部材とから形成され、第１および第２側面パネルが巻取リールの下部を囲み、それら側面パネルによって巻取リールが支持されるから、線条物を巻取リールから勢いよく引き出したとしても、ホルダから巻取リールが不用意に脱落することはない。リールホルダは、第１〜第４回転部材が巻取リールの円盤の外周を支持しつつ巻取リールの回転にともなって回転するから、線条物を巻取リールに容易かつ円滑に巻き取らせることができ、線条物を巻取リールから容易かつ円滑に引き出すことができる。
【００１３】
リールホルダは、フレームが縦方向上方へ凸となるように延出する第１および第２側面フレームと把持可能な把持フレームとから形成され、第１および第２側面フレームが巻取リールの下部を除く残余の部位を囲み、第１および第２側面フレームによって巻取リールが支持されるから、線条物を巻取リールから勢いよく引き出したとしても、ホルダから巻取リールが不用意に脱落することはない。リールホルダは、第１および第２側面フレームの間に把持可能な把持フレームが延びているから、把持フレームを利用してリールホルダを自由に持ち運ぶことができる。
【００１４】
リールホルダは、横方向へ長い矩形に成形されたガイドパネルが底面パネルに対して略垂直に垂下するように、底面パネルの前端から縦方向下方へ延出するから、リールホルダを棚に設置したときに、ガイドパネルがリールホルダの位置決め手段となり、ガイドパネルを利用して複数のリールホルダを棚に整然と並べることができる。リールホルダは、ガイドパネルに巻取リールに巻き取られた線条物の種類や径、使用方法等の製品情報を表示することができるから、ガイドパネルを利用して各種複数の線条物を容易に管理することができる。
【００１５】
リールホルダは、第１および第２回転部材の前後方向の離間方向が巻取リールの円盤の直径の６０〜９０％の長さに調節され、第３および第４回転部材の前後方向の離間寸法が巻取リールの円盤の直径の６０〜９０％の長さに調節され、巻取リールの円盤の全面積の１５〜３５％の範囲が第１および第２回転部材の下方に位置するとともに第３および第４回転部材の下方に位置し、円盤の全面積の１５〜３５％の範囲をそれら回転部材の下方に位置させることで、巻取リールの円盤が第１および第２回転部材の間においてそれら回転部材に十分に支持されるとともに、円盤が第３および第４回転部材の間においてそれら回転部材に十分に支持されるから、線条物を巻取リールから勢いよく引き出したとしても、巻取リールがそれら回転部材を乗り越えることはなく、リールホルダからの巻取リールの脱落を確実に防ぐことができる。
【００１６】
リールホルダは、巻取リールの横方向へ延びる軸挿入孔が第１側面フレームの内側と第２側面フレームの内側とに露出するから、巻取リールを回転させるハンドルの軸挿入孔への装着がそれら側面フレームによって邪魔されることはなく、軸挿入孔にハンドルを装着することができ、リールホルダに装着された巻取リールをハンドルを介して正逆両方向へ容易かつ自由に回転させることができる。リールホルダは、ハンドルを介して線条物を巻取リールに容易かつ円滑に巻き取らせることができ、線条物を巻取リールから容易かつ円滑に引き出すことができる。
【発明を実施するための最良の形態】
【００１７】
添付の図面を参照し、本発明に係るリールホルダの詳細を説明すると、以下のとおりである。図１は、一例として示すリールホルダ１０の斜視図であり、図２は、リールホルダ１０の側面図である。図３は、リールホルダ１０の正面図であり、図４は、巻取リール１４を装着した状態で示すリールホルダ１０の斜視図である。図１〜図３では、前後方向を矢印Ｘ１（図１，２のみ）、横方向を矢印Ｘ２（図１，３のみ）で示し、縦方向を矢印Ｘ３で示す。このリールホルダ１０は、パネル１１およびフレーム１２と回転部材１３とから作られ、巻取リール１４を回転可能に支持する。パネル１１やフレーム１２、回転部材１３は金属から作られているが、それらをプラスチックで作ることもできる。
【００１８】
パネル１１は、前後方向へ延びる底面パネル１５と、底面パネル１５の横方向両側縁１６に連接された第１側面パネル１７および第２側面パネル１８と、底面パネル１５の前後方向前端１９に連接されたガイドパネル２０とから形成されている。底面パネル１５は、前後方向へ長い矩形に成形されている。第１側面パネル１７と第２側面パネル１８とは、前後方向へ長い矩形に成形され、底面パネル１５に対して略垂直に起立するように、底面パネル１５の両側縁１６から縦方向上方へ延出している。それら側面パネル１７，１８は、横方向へ離間対向しつつ、互いに並行して前後方向へ延びている。ガイドパネル２０は、横方向へ長い矩形に成形され、底面パネル１５に対して略垂直に垂下するように、底面パネル１５の前端１９から縦方向下方へ延出している。
【００１９】
フレーム１２は、第１側面パネル１７の上端部２１の前後方向両側に連接された第１側面フレーム２２と、第２側面パネル１８の上端部２３の前後方向両側に連接された第２側面フレーム２４と、それらフレーム２２，２４の間に位置する把持可能な把持フレーム２５とから形成されている。第１側面フレーム２２は、第１側面パネル１７の上端部２１の前後方向両側から縦方向上方へ向かって凸となるように延出している。第１側面フレーム１７は、パネル１７の上端部２１の前後方向前端２６近傍から縦方向上方へ延びていて前後方向後方へ向かって傾斜する部位２７と、パネル１７の上端部２１の前後方向後端２８近傍から縦方向上方へ延びていて前後方向前方へ向かって傾斜する部位２９とを有する。それら部位２８，２９は、パネル１７の上方において交差している。第１側面フレーム２２は、図２に示すように、その側面形状が略三角形に成形されている。第１側面パネル１７と第１側面フレーム２２との間には、略三角形の空間３０が画成されている。
【００２０】
第２側面フレーム２４は、第２側面パネル１８の上端部２３の前後方向両側から縦方向上方へ向かって凸となるように延出している。第２側面フレーム２４は、パネル１８の上端部２３の前後方向前端３１近傍から縦方向上方へ延びていて前後方向後方へ向かって傾斜する部位３２と、パネル１８の上端部２３の前後方向後端３３近傍から縦方向上方へ延びていて前後方向前方へ向かって傾斜する部位３４とを有する。それら部位３２，３４は、パネル１８の上方において交差している。第２側面フレーム２４は、その側面形状が略三角形に成形されている。第２側面パネル１８と第２側面フレーム２４との間には、略三角形の空間３５が画成されている。把持フレーム２５は、第１および第２側面フレーム２２，２４の上端部３６につながって横方向へ延びている。把持フレーム２５は、その断面形状が円形に成形されている。
【００２１】
回転部材１３は、第１側面パネル１７の上端部２１の前後方向両側に取り付けられた第１および第２回転部材１３Ａ，１３Ｂと、第２側面パネル１８の上端部２３の前後方向両側に取り付けられた第３および第４回転部材１３Ｃ，１３Ｄとから形成されている。第１回転部材１３Ａは、第１側面フレーム２２の部位２７に近接しつつ、第１側面パネル１７の上端部２１の前端２６近傍に位置し、上端部２１から横方向内方へ延出している。第２回転部材１３Ｂは、第１側面フレーム２２の部位２９に近接しつつ、第１側面パネル１７の上端部２１の後端２８近傍に位置し、上端部２１から横方向内方へ延出している。第１回転部材１３Ａと第２回転部材１３Ｂとは、第１側面パネル１７において前後方向へ所定寸法離間対向している。第１および第2回転部材１３Ａ，１３Ｂは、第１側面パネル１７に取り付けられてパネル１７から横方向内方へ延びる軸３７と、軸３７に回転可能に装着されたローラー３８とから形成されている。
【００２２】
第３回転部材１３Ｃは、第２側面フレーム２４の部位３２に近接しつつ、第２側面パネル１８の上端部２３の前端３１近傍に位置し、上端部２３から横方向内方へ延出している。第４回転部材１３Ｄは、第２側面フレーム２４の部位３４に近接しつつ、第２側面パネル１８の上端部２３の後端３３近傍に位置し、上端部２３から横方向内方へ延出している。第３回転部材１３Ｃと第４回転部材１３Ｄとは、第２側面パネル１８において前後方向へ所定寸法離間対向している。第３および第４回転部材１３Ｃ，１３Ｄは、第２側面パネル１８に取り付けられてパネル１８から横方向内方へ延びる軸２９と、軸３９に回転可能に装着されたローラー４０とから形成されている。
【００２３】
このリールホルダ１０では、パネル１１とフレーム１２との内側に前記巻取リール１４を着脱可能に装着する。なお、巻取リール１４は、横方向へ離間対向する一対の円盤４１，４２とそれら円盤４１，４２の間に延びる巻取筒部４３とから形成され、巻取筒部４３に電線やケーブル、紐、ホース等の線条物４４を巻き取った状態でそれら線条物４４を保持する。巻取リール１４は、円盤４１，４２間を貫通する軸挿入孔４５が形成されている。巻取リール１４をリールホルダ１０に装着すると、巻取リール１４の円盤４１，４２の外周がそれらローラー３８，４０の外周面に当接かつ支持され、底面パネル１５が巻取リール１４の下方に位置し、第１および第２側面パネル１７，１８が円盤４１，４２の外側近傍に位置する。また、第１および第２側面フレーム２２，２４が巻取リール１４の円盤４１，４２の外側近傍に位置し、第１および第２側面フレーム２２，２４の一部が円盤４１，４２の上方に延出し、把持フレーム２５が円盤４１，４２の上方に位置する。
【００２４】
底面パネル１５と巻取リール１４の円盤４１，４２の外周との間には、所定の空間４６が形成されている。把持フレーム２５と巻取リール１４との間には、所定の空間４７が形成されている。リールホルダ１０では、図４に示すように、巻取リール１４の円盤４１，４２の下部４８が底面パネル１５と第１および第２側面パネル１７，１８とに囲まれ、円盤４１，４２の下部４８を除く残余の部位４９が第１および第２側面フレーム２２，２４と把持フレーム２５とに囲まれる。巻取リール１４の軸挿入孔４５は、第１側面フレーム２２の内側に画成された空間３０に露出するとともに、第２側面フレーム２４の内側に画成された空間３５に露出する。第１側面パネル１７と第２側面パネル１８との横方向の離間寸法Ｌ１および第１側面フレーム２２と第２側面フレーム２４との横方向の離間寸法Ｌ２は、巻取リール１４の円盤４１，４２の横方向の離間寸法よりもわずかに大きくなるように調節されている。したがって、巻取リール１４はそれら側面パネル１７，１８の間やそれら側面フレーム２２，２４の間において回転することができる。それら側面パネル１７，１８やそれら側面フレーム２２，２４の離間寸法Ｌ１，Ｌ２を変えることで、円盤４１，４２間の寸法が異なる各種の巻取リール１４をパネル１１とフレーム１２との間に装着することができる。
【００２５】
図４に矢印Ｍ１で示すように、巻取リール１４の巻取筒部４３に巻き取られた線条物４４を引っ張ると、巻取リール１４が矢印Ｍ２の方向へ回転し、それにともなって円盤４１，４２の外周に当接するローラー３８，４０が矢印Ｍ３の方向へ回転する。線条物４４を前方へ引っ張ることで、線条物４４を巻取リール１４の巻取筒部４３から引き出すことができる。逆に、巻取リール１４の軸挿入孔４５にハンドル５０の軸５１を挿入し、ハンドル５０を矢印Ｍ４の方向へ回転させると、巻取リール１４がハンドル５０の回転にともなって回転し、線条物４４が巻取筒部４３に巻き取られる。なお、このリールホルダ１０は、ハンドル５０を使用することなく、リール１４の円盤４１，４２の外周を手で回転させることにより、リール１４自体を正逆両方向へ回転させることができる。リールホルダ１０は、それに巻取リール１４を装着するだけで、リール１４の軸挿入孔４５にリール１４を回転させるための棒軸を挿入することなく、リール１４を正逆両方向へ容易かつ自由に回転させることができる。巻取筒部４３に巻き取られた線条物４４を使い切った後は、リール１４を上方に持ち上げ、リール１４をパネル１１とフレーム１２との間から取り出し、リール１４をホルダ１０から取り外す。使用済のリール１４をホルダ１０から外した後は、新しいリール１４をホルダ１０に装着する。
【００２６】
リールホルダ１０では、第１回転部材１３Ａと第２回転部材１３Ｂとの前後方向の離間寸法Ｌ３が巻取リール１４の円盤４１の直径Ｌ４（図４参照）の６０〜９０％の長さに調節され、第３回転部材１３Ｃと第４回転部材１３Ｄとの前後方向の離間寸法Ｌ３が円盤４２の直径Ｌ４の６０〜９０％の長さに調節されている（図２参照）。第１および第２回転部材１３Ａ，１３Ｂの前後方向の離間寸法Ｌ３と第３および第４回転部材１３Ｃ，１３Ｄの前後方向の離間寸法Ｌ３とは同一である。円盤４１の直径Ｌ４と円盤４２の直径Ｌ４とは同一である。なお、第１および第２回転部材１３Ａ，１３Ｂの離間寸法Ｌ３は、第１回転部材１３Ａの軸３７の中心から第２回転部材１３Ｂの軸３７の中心までの長さである。第３および第４回転部材１３Ｃ，１３Ｄの離間寸法Ｌ３は、第３回転部材１３Ｃの軸３９の中心から第４回転部材１３Ｄの軸３９の中心までの長さである。
【００２７】
それら回転部材１３Ａ，１３Ｂ，１３Ｃ，１３Ｄの好ましい離間寸法Ｌ３は円盤４１，４２の直径Ｌ４の７０〜９０％であり、それら回転部材１３Ａ，１３Ｂ，１３Ｃ，１３Ｄのより好ましい離間寸法Ｌ４は円盤４１，４２の直径Ｌ４の８０〜９０％である。リールホルダ１０では、それら回転部材１３Ａ，１３Ｂ，１３Ｃ，１３Ｄの離間寸法Ｌ３を前記範囲で調節することにより、パネル１１とフレーム１２との内側に巻取リール１４を装着したときに、巻取リール１４の円盤４１の全面積の１５〜３５％の範囲が第１および第２回転部材１３Ａ，１３Ｂの間においてそれら回転部材１３Ａ，１３Ｂの下方に位置し、巻取リール１４の円盤４２の全面積の１５〜３５％の範囲が第３および第４回転部材１３Ｃ，１３Ｄの間においてそれら回転部材１３Ｃ，１３Ｄの下方に位置する。また、パネル１１とフレーム１２との内側に巻取リール１４を装着したときに、巻取リール１４の円盤４１の全面積の１５〜３５％の範囲が第１側面パネル１７の内側に位置し、パネル１７に支持され、巻取リール１４の円盤４２の全面積の１５〜３５％の範囲が第２側面パネル１８の内側に位置し、パネル１８に支持される。
【００２８】
第１および第２回転部材１３Ａ，１３Ｂの前後方向の離間寸法Ｌ３が円盤４１の直径Ｌ４の６０％未満かつ第３および第４回転部材１３Ｃ，１３Ｄの前後方向の離間寸法Ｌ３が円盤４２の直径Ｌ４の６０％未満では、巻取リール１４の円盤４１，４２の全面積の１５％の範囲をそれら回転部材１３Ａ，１３Ｂ，１３Ｃ，１３Ｄの下方に位置させることができず、巻取筒部４３に巻き取られた線条物４４を筒部４３から強く引き出したときに、巻取リール１４がそれら回転部材１３Ａ，１３Ｂ，１３Ｃ，１３Ｄを乗り越えてホルダ１０から脱落してしまう場合がある。第１および第２回転部材１３Ａ，１３Ｂの前後方法の離間寸法Ｌ３が円盤４１の直径Ｌ４の９０％を超過し、第３および第４回転部材１３Ｃ，１３Ｄの前後方法の離間寸法Ｌ３が円盤４２の直径Ｌ４の９０％を超過すると、巻取リール１４の円盤４１，４２と回転部材１３Ａ，１３Ｂ，１３Ｃ，１３Ｄとの抵抗が大きくなり、リールホルダ１０において巻取リール１４を円滑に回転させることができない場合がある。
【００２９】
このリールホルダ１０は、第１および第２側面パネル１７，１８が巻取リール１１の円盤４１，４２の下部４８を囲み、パネル１７，１８によって巻取リール１４が支持されるとともに、第１および第２側面フレーム２２，２４が円盤４１，４２の下部４８を除く残余の部位４９を囲み、フレーム２２，２４によって巻取リール１４が支持されるから、巻取筒部４３に巻き取られた線条物４４を筒部４３から勢いよく引き出したとしても、巻取リール１４がホルダ１０から不用意に脱落することはない。このリールホルダ１０は、回転部材１３Ａ，１３Ｂ，１３Ｃ，１３Ｄが巻取リール１４の円盤４１，４２の外周を支持しつつリール１４の回転にともなって回転するから、線条物４４を巻取リール１４の巻取筒部４３に容易かつ円滑に巻き取らせることができ、線条物４４を巻取筒部４３から容易かつ円滑に引き出すことができる。
【００３０】
このリールホルダ１０は、線条物４４を巻取筒部４３から次第に引き出しつつ線条物４４を必要な長さに切断することができるから、線条物４４の計り使用が容易であり、線条物４４の無駄を防ぐことができ、線条物４４の使い勝手が向上する。さらに、引き出し過ぎた線条物４４を巻取筒部４３に容易に巻き戻すことができるから、引き出し過ぎた線条物４４を無駄に捨てることがなく、線条物４４の無駄を防ぐことができる。
【００３１】
リールホルダ１０は、巻取リール１４の円盤４１，４２の全面積の１５〜３５％の範囲をそれら回転部材１３Ａ，１３Ｂ，１３Ｃ，１３Ｄの下方に位置させることで、円盤４１が第１および第２回転部材１３Ａ，１３Ｂの間においてそれら回転部材１３Ａ，１３Ｂに十分に支持されるとともに、円盤４２が第３および第４回転部材１３Ｃ，１３Ｄの間においてそれら回転部材１３Ｃ，１３Ｄに十分に支持されるから、線条物４４を巻取筒部４３から強く引き出したとしても、巻取リール１４がそれら回転部材１３Ａ，１３Ｂ，１３Ｃ，１３Ｄを乗り越えることはなく、リールホルダ１０からの巻取リール１４の脱落を確実に防ぐことができる。また、巻取リール１４の円盤４１，４２の全面積の１５〜３５％の範囲が第１および第２側面パネル１７，１８の内側に位置し、それらパネル４１，４２に支持されるから、巻取リール１４のホルダ１０における遊動が防止され、回転中におけるリール１４のがたつきを防ぐことができる。
【００３２】
リールホルダ１０は、巻取リール１４の横方向へ延びる軸挿入孔４５が第１側面フレーム２２の内側に露出するとともに第２側面フレーム２４の内側に露出するから、巻取リール１４を回転させるハンドル５０の軸挿入孔４５への装着がそれら側面フレーム２２，２４によって邪魔されることはなく、軸挿入孔４５にハンドル５０の軸５１を挿入することができ、リールホルダ１０に装着された巻取リール１４をハンドル５０を利用して正逆両方向へ容易かつ自由に回転させることができる。このリールホルダ１０は、把持フレーム２５を手で把持することができるから、把持フレーム２５を利用してリールホルダ１０を自由に持ち運ぶことができ、ホルダ１０にリール１４を装着した状態で、リール１４をその使用場所へ運搬することができる。
【００３３】
図５は、棚５２に載置した状態で示すリールホルダ１０の斜視図である。把持フレーム２５を手で持ってリールホルダ１０を棚１０の上に置くと、棚５２の頂面５３と側面５４とが交差する角部にホルダ１０の底面パネル１５とガイドパネル２０との交差部位が一致し、底面パネル１５が棚５２の頂面５３に当接し、ガイドパネル２０が棚５２の側面５４に当接する。リールホルダ１０は、ガイドパネル２０によって棚５２におけるホルダ１０の位置決めを容易に行うことができ、複数のホルダ１０を棚５２に整然と並べることができる。このリールホルダ１０は、それが棚５２に載置された状態で後方へ押されたとしても、ガイドパネル２０がストッパーとなるから、ホルダ１０が後方へ動くことなく、ガイドパネル２０によってホルダ１０の棚５２からの落下が防止される。
【００３４】
また、図示はしていないが、ガイドパネル２０の前面５５に巻取筒部４３に巻き取られた線条物４４の種類や径、使用方法等の製品情報を表示することができるから、ホルダ１０を棚５２に載置した状態でガイドパネル２０に表示された製品情報を見ることができ、ガイドパネル２０を利用して各種複数の線条物４４を容易に管理することができる。なお、リールホルダ１０を床や地面に置くと、底面パネル１５の前後方向後端５６およびガイドパネル２０の下端５７のみが床や地面に接し、底面パネル１５の後端５６を除く残余の部位と床や地面との間に空間が形成される。このリールホルダ１０は、ガイドパネル２０を利用することで、底面パネル１５全体の床や地面への接地を防ぐことができ、底面パネル１５の全体が床や地面に接する場合と比較し、ホルダ１０の汚れを少なくすることができる。
【００３５】
図６は、線条物４４の巻き取りの一例を示す図である。このリールホルダ１０では、２つのそれを利用することで、一方のホルダ１０Ａに装着されたリール１４Ａから他方のホルダ１０Ｂに装着されたリール１４Ｂに線条物４４を巻き取ることができる。リール１４の巻取筒部４３に巻き取られた線条物４４を使い切った後、そのリール１４を再度利用するため、そのリール１４にあらたな線条物４４を巻き付ける必要があるが、このリールホルダ１０では、線条物４４の原反を巻き取ったリール１４Ａを一方のホルダ１０Ａに装着し、再利用するリール１４Ｂを他方のホルダ１０Ｂに装着した後、ハンドル５０を使用してリール１４Ａの巻取筒部４３からリール１４Ｂの巻取筒部４３に線条物４４を巻き取らせることができる。このリールホルダ１０では、２つのそれを利用することで、一方のリール１４Ａから他方のリール１４Ｂへ線条物４４を容易に移動させることができる。
【図面の簡単な説明】
【００３６】
【図１】一例として示すリールホルダの斜視図。
【図２】リールホルダの側面図。
【図３】リールホルダの正面図。
【図４】巻取リールを装着した状態で示すリールホルダの斜視図。
【図５】棚に載置した状態で示すリールホルダの斜視図。
【図６】線条物の巻き取りの一例を示す図。
【符号の説明】
【００３７】
１０    リールホルダ
１１    パネル
１２    フレーム
１３    回転部材
１３Ａ  第１回転部材
１３Ｂ  第２回転部材
１３Ｃ  第３回転部材
１３Ｄ  第４回転部材
１４    巻取リール
１５    底面パネル
１６    側縁（両側縁）
１７    第１側面パネル
１８    第２側面パネル
１９    前後方向前端
２０    ガイドパネル
２１    上端部
２２    第１側面フレーム
２３    上端部
２４    第２側面フレーム
２５    把持フレーム
３７    軸
３８    ローラー
３９    軸
４０    ローラー
４１    円盤
４２    円盤
４３    巻取筒部
４４    線条物
４５    軸挿入孔
５０    ハンドル
【図１】
0005122340.tif 000002
【図２】
0005122340.tif 000003
【図３】
0005122340.tif 000004
【図４】
0005122340.tif 000005
【図５】
0005122340.tif 000006
【図６】
0005122340.tif 000007